(57)【要約】【課題】本考案は、ネイルアートにより施された新たな装飾に合わせて一体感を有する新たな装飾を施すことができる再着飾可能な装身具を提供することを目的とするものである。【解決手段】装身具セット１は、手首に取り付けるブレスレット１１及び手の指に取り付ける指輪１２を備えており、ブレスレット１１の装飾体１１ａ及び指輪１２の装飾体１２ａは、５本の手の指の爪に取り付ける付け爪１０ａ〜１０ｅのセットと同様にネイルアートに用いる塗料により装飾を施すことができ、また施された装飾を除去して付け爪に施された装飾に合わせて新たな装飾を施すことが可能で、手首全体について一体感を有する装飾を新たに施すことができる。【選択図】図１
0003194898.tif 000002
【実用新案登録請求の範囲】
【請求項１】
ネイルアートによりに施される装飾に用いられる塗料により装飾が施される装飾体を有する装身具であって、前記装飾体は、施された装飾を除去して前記付け爪に施された装飾に合わせて新たな装飾が施される着飾部が設けられている再着飾可能な装身具。
【請求項２】
前記装飾体は、前記着飾部の周囲に細幅で突条に縁取部が形成されており、前記着飾部は、段差部のない平滑な面状に形成されているとともに梨地加工されている請求項１に記載の再着飾可能な装身具。
【請求項３】
請求項１又は２に記載の再着飾可能な装身具を複数組み合わせた装身具セット。
【考案の詳細な説明】
【技術分野】
【０００１】
本考案は、指輪、ブレスレット等の装身具であって、ネイルアート等で新たに施された装飾に合わせて一体感を有する新たな装飾を施すことができる際着飾可能な装身具に関する。
【背景技術】
【０００２】
人体に身に着ける装身具は、カチューシャ等の頭部用装身具、イヤリング等の耳元用装身具、ペンダント、ネックレス、ブローチ等の首元や胸元用装身具、時計、ブレスレッド、アンクレッド等の手足用装身具、付け爪、指輪等の指用装身具といったように、多様な種類の装身具が提案されている。そして、こうした装身具を複数種類身に着ける場合、衣服のデザインにマッチした全体として統一した装飾イメージを表出するようにコーディネートすることが求められている。
【０００３】
近年、手足の爪に装飾を施すネイルアートといった装飾技術が開発されてきており、利用者の嗜好に合わせて独自の装飾を施した付け爪を製作することも行われている。ネイルアートでは、ベースコート、マニキュア及びトップコートといった塗布処理が行われて模様、図柄等のデザインが描かれるほか、ビーズ、ストーン及びシールといった装飾部品を付加することも行われている。そのため、平面的な装飾だけでなく立体的な装飾も可能となり、これまでの装身具の枠に囚われない自由な発想に基づく創作性に富んだデザインが提供されている。
【０００４】
こうした独自のデザインの装飾を装身具に施す技術としては、付け爪以外の装身具でも提案されており、例えば、特許文献１では、底面に白色層が設けられた凹部を十字形の台座の表面に穿設してペンダント用基台を形成し、ペンダント用基台の凹部内に所望の色彩を有する塗料を充填し、さらに多数の小さなガラス製の装飾玉の下部を塗料の中に埋設して構成した装飾ペンダントが記載されている。
【先行技術文献】
【特許文献】
【０００５】
【特許文献１】登録実用新案第３１１３２１９号公報
【考案の概要】
【考案が解決しようとする課題】
【０００６】
近年普及してきているネイルアートでは、図柄や模様等の装飾をリムーバ等により除去することができ、一度施した装飾を除去して新たな装飾を施すことで利用者の嗜好にきめ細かく対応できるようになっている。そのため、ネイルアートにより施された装飾に合わせて他の装身具をコーディネートしようとする場合に、予め装飾が施された装身具ではネイルアートに施された装飾に十分対応することができない。特許文献１では、ペンダントの表面に所望の色彩を施すことが可能となっているが、一度装飾したものを除去して再装飾することは想定しておらず、ネイルアートにより新たに施した装飾と一体感を持たせた装飾を施すことは難しい。
【０００７】
そこで、本考案は、ネイルアート等により施された新たな装飾に合わせて一体感を有する新たな装飾を施すことができる再着飾可能な装身具を提供することを目的とするものである。
【課題を解決するための手段】
【０００８】
本考案に係る再着飾可能な装身具は、ネイルアートによりに施される装飾に用いられる塗料により装飾が施される装飾体を有する装身具であって、前記装飾体は、施された装飾を除去してネイルアートにより施された装飾に合わせて新たな装飾が施される着飾部が設けられている。さらに、前記装飾体は、前記着飾部の周囲に細幅で突条に縁取部が形成されており、前記着飾部は、段差部のない平滑な面状に形成されているとともに梨地加工されている。
【考案の効果】
【０００９】
本考案は、上記のような構成を有することにより、ネイルアートにより施された新たな装飾に合わせて一体感を有する新たな装飾を装身具に施すことができ、ネイルアートによる独自の装飾に合わせて身飾品全体を統一したイメージでデザインすることが可能となる。
【図面の簡単な説明】
【００１０】
【図１】本考案に係る装身具を含む身飾品に関する斜視図である。
【図２】ブレスレットの装飾体に関する前面と直交する方向に切断した断面図である。
【図３】指輪の装飾体に関する前面と直交する方向に切断した断面図である。
【図４】付け爪に施されたネイルアートによる装飾と統一したイメージで装飾されたブレスレット及び指輪を備えた身飾品を撮影した写真である。
【考案を実施するための形態】
【００１１】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１２】
図１は、本考案に係る装身具を含む身飾品に関する斜視図である。装身具セット１は、手首に取り付けるブレスレット１１及び手の指に取り付ける指輪１２を備えており、５本の手の指の爪に取り付ける付け爪１０ａ〜１０ｅのセットとともに手首周辺に身に着ける身飾品として用いられる。
【００１３】
付け爪は、ポリアクリル樹脂材料を用いて爪の形状に沿うように湾曲成形された公知のものが用いられている。付け爪の裏面には、両面接着テープ等の接着手段が設けられており、利用者の爪に接着するようになっている。接着位置は、爪全体を覆うように取り付けたり、爪の先端側に取り付けることができ、利用者の嗜好に合わせて取り付けることができる。接着方法としては、両面接着テープ以外に、公知の接着剤や粘着剤を付け爪の裏面に塗布して接着することもできる。
【００１４】
こうした成形品以外に、溶融状態又はジェル状態のポリアクリル樹脂材料を用いて爪の上に塗り拡げることで付け爪を形成することもできる。この場合には、必要に応じて紫外線照射又は熱硬化等の手段が使用される。
【００１５】
付け爪には、公知のネイルアートの手法により様々な装飾が施される。すなわち、付け爪の表面に、ベースコートを塗布した後所望のマニキュア用の塗料で模様や図柄が描画される。塗料としては、水、油、アルコール等の溶媒に顔料又は染料等が添加された公知のネイルエナメル、絵の具、インク、ペンキ等が挙げられる。そして、塗料による描画処理の後トップコートが塗布されるが、その際に、必要に応じてビーズ、ストーン、シール等の様々な装飾部品を付着して装飾が施される。こうして装飾が施された付け爪は、使用した後に、リムーバ等により装飾を除去して再使用されたり、利用者の爪から剥離して廃棄される。
【００１６】
ブレスレット１１は、装飾体１１ａ及び装飾体１１ａに接続された支持チェーン１１ｂを備えている。装飾体１１ａは、金合金、銀合金、チタン合金等の装飾体に用いる公知の金属材料を成形して得られる。図２は、装飾体１１ａに関する前面と直交する方向に切断した断面図である。装飾体１１ａは、ハート形の略板状体に形成されており、前面側には、面状の着飾部１１ｃが形成されており、着飾部１１ｃの周囲には、細幅で突条に形成された縁取部１１ｄが形成されている。着飾部１１ｃは、段差のない平滑な面状に形成されており、全面が梨地加工されている。着飾部１１ｃには、付け爪と同様に、ベースコートの塗布、塗料による描画、トップコートの塗布といった装飾が施される。その際に、着飾部１１ｃの周囲に縁取部１１ｄが形成されているので、塗料が着飾部１１ｃからはみ出ることなく描くことができ、装飾体１１から塗料が漏出して周囲を汚すこともなくなる。また、縁取部１１ｄが着飾部１１ｃよりも突出しているので、装飾体１１が手首や衣服に接触した場合でも、着飾部１１ｃに施された装飾が剥離や破損することなく保護されるようになる。
【００１７】
着飾部１１ｃは、全面に梨地加工が施されているので、ベースコートとの接着面積が大きくなって装飾が不用意に剥離しにくくなり、また一度施された装飾を除去する際に容易に剥離することが可能となる。そして、装飾体１１ａに使用する金属材料は、装飾を擦り取る際に傷付かないように耐久性を備えており、またリムーバ等の除去剤に対しても耐薬品性を備えているので、付け爪に新たに施されたネイルアートによる装飾に合わせて装飾を繰り返し行うことができる。
【００１８】
指輪１２は、装飾体１２ａ及び装飾体１２ａに溶接により固定された支持リング１２ｂを備えている。装飾体１２ａは、装飾体１１ａと同様の金属材料によりハート形に成形されている。図３は、装飾体１２ａに関する前面と直交する方向に切断した断面図である。装飾体１２ａには、装飾体１１ａと同様に、着飾部１２ｃ及び縁取部１２ｄが形成されており、着飾部１２ｃは、段差のない平滑な面状に形成されて梨地加工されている。そのため、付け爪と同様の装飾を施すことができ、また装飾を除去して、付け爪に新たに施されたネイルアートによる装飾に合わせて繰り返し装飾を施すことが可能となる。
【００１９】
以上説明したように、付け爪に新たにネイルアートによる装飾を施した場合に、装身具に施された装飾を除去してネイルアートにより施された新たな装飾に関連付けられた装飾を再度着飾することが可能となっており、身飾品全体に統一したイメージの装飾を施すことができ優れた装飾効果を得ることができる。
【００２０】
図４は、付け爪に施されたネイルアートによる装飾と統一したイメージで装飾されたブレスレット及び指輪を備えた装身具セットを撮影した写真である。指輪及びブレスレットの装飾体に付け爪と同じ色合いの塗料を塗布し、「Ｎ」及び「チェーン」を図柄化したデザインを身飾品全体として統一感を表出するように付け爪、指輪及びブレスレットに装飾を施している。指輪及びブレスレットを付け爪に施したネイルアートによる装飾と同じ色合いとすることができるので、手首周辺全体の装飾に一体感を持たせることが可能となる。また、指輪及びブレスレットの装身具セットにネイルアートにより施された模様や図柄と関連する模様や図柄を施すことで、手首周辺全体の装飾の表出効果を高めることができる。
【００２１】
従来のように、付け爪だけにネイルアートの装飾を施した場合には、爪のみが浮き出るようになり、他の装身具との関連性がないため全体として統一した表出効果を得ることができないが、本考案の装身具セットでは、付け爪も含めた身飾品をネイルアートによる装飾と統一したイメージで装飾を施すことができるので、付け爪及び装身具セットを身に着けた身体部分全体について統一感のある装飾効果を表出することが可能となる。
【００２２】
なお、上述した例では、付け爪のネイルアートによる装飾と関連付ける装身具セットとして、ブレスレット及び指輪を合せた装身具セットを例示しているが、ブレスレット及び指輪以外の装身具の組合せによる装身具セットや装身具単体でも同様の装飾効果を得ることができる。例えば、ネックレスやアンクレット等の装身具やこれらを含む装身具セットと付け爪とを組み合せることで、手首だけでなく身体全体を一体感のある独自のデザインで装飾することができ、優れた装飾効果を得ることが可能となる。
【００２３】
また、以上説明した例では、付け爪に施したネイルアートによる装飾を装身具又は装身具セットと関連付けて装飾するようにしているが、利用者の爪に直にネイルアートによる装飾を施す場合でもその装飾に関連付けて装身具又は装身具セットに施すことで付け爪の場合と同様の優れた装飾効果を得ることができる。
【符号の説明】
【００２４】
１・・・装身具セット、１０・・・付け爪、１１・・・ブレスレット、１１ａ・・・装飾体、１２・・・指輪、１２ａ・・・装飾体
【図１】
0003194898.tif 000003
【図２】
0003194898.tif 000004
【図３】
0003194898.tif 000005
【図４】
0003194898.tif 000006
【手続補正書】
【提出日】平成26年10月8日(2014.10.8)
【手続補正１】
【補正対象書類名】実用新案登録請求の範囲
【補正対象項目名】全文
【補正方法】変更
【補正の内容】
【実用新案登録請求の範囲】
【請求項１】
ネイルアートにより施される装飾に用いられる塗料により装飾が施される金属材料を成形して得られた装飾体を有する装身具であって、前記装飾体は、施された装飾を除去してネイルアートにより施された装飾に合わせて新たな装飾が施される段差部のない平滑な面状に形成されている着飾部が設けられている再着飾可能な装身具。
【請求項２】
前記装飾体は、前記着飾部の周囲に細幅で突条に縁取部が形成されており、前記着飾部は、梨地加工されている請求項１に記載の再着飾可能な装身具。
【請求項３】
請求項１又は２に記載の再着飾可能な装身具を複数組み合わせた装身具セット。
【手続補正２】
【補正対象書類名】明細書
【補正対象項目名】０００８
【補正方法】変更
【補正の内容】
【０００８】
本考案に係る再着飾可能な装身具は、ネイルアートにより施される装飾に用いられる塗料により装飾が施される金属材料を成形して得られた装飾体を有する装身具であって、前記装飾体は、施された装飾を除去してネイルアートにより施された装飾に合わせて新たな装飾が施される段差部のない平滑な面状に形成されている着飾部が設けられている。さらに、前記装飾体は、前記着飾部の周囲に細幅で突条に縁取部が形成されており、前記着飾部は、梨地加工されている。